(57)【要約】      （修正有）【課題】ボウリングの投球の補助を行うもので、ボールの方向性を正しくするボール投球補助台を提供する。【解決手段】ボール投球補助台１は、ボールを載置するボール保持部２と、ボール保持部２から下降する通路を有するボール助走路４と、ボール助走路４から連なってボールを水平方向に送り出すボールリリース部５とを備え、ボール助走路４からボールリリース部５にかけてしだいに通路が狭まり、遊技者がボール保持部２からボールを移動させてボール助走路４を介してボールを投球し、ボール助走路４でボールの方向が定められ、前方に設置されたピンを倒すものである。【選択図】図１
2015136384.tif 000002
【特許請求の範囲】
【請求項１】
ボールを載置するボール保持部と、前記ボール保持部から下降する通路を有するボール助走路とを備え、前記通路が断面円弧状をなす溝部からなることを特徴とするボール投球補助台。
【請求項２】
ボールを載置するボール保持部と、前記ボール保持部から下降する通路を有するボール助走路と、前記ボール助走路から連なってボールを水平方向に送り出すボールリリース部とを備え、前記ボール助走路から前記ボールリリース部にかけてしだいに通路が狭まることを特徴とするボール投球補助台。
【請求項３】
前記通路が溝で形成され、前記通路の幅がしだいに狭く又は前記通路の深さがしだいにに浅くの少なくとも一方の構成であることを特徴とする請求項２に記載のボール投球補助台。
【請求項４】
前記通路の断面形状が滑らかな曲線であることを特徴とする請求項２または３に記載のボール投球補助台。
【請求項５】
前記通路が複数の棒状体から構成されたことを特徴とする請求項２に記載のボール投球補助台。
【請求項６】
ボールを載置するボール保持部と、前記ボール保持部から下降する通路を有するボール助走路と、前記ボール助走路から連続してボールを水平に送り出すボールリリース部を備え、前記ボール保持部と前記ボール助走路との間にボールの方向を矯正するボールガイド部を備えたことを特徴とするボール投球補助台。
【請求項７】
ボールガイド部はボール直径より幅の狭い通路から構成された溝部を備えたことを特徴とする請求項６に記載のボール投球補助台。
【請求項８】
ボールガイド部はボールの左右の位置を矯正する一対の規正体を備えたことを特徴とする請求項６記載のボール投球補助台。
【発明の詳細な説明】
【技術分野】
【０００１】
本発明は、幼児・障がい者・高齢者に使い勝手の良いボウリングボール投球補助用具に関する。
【背景技術】
【０００２】
ファールラインよりボウリングボールを投球し（転がし）、18.288メートル先に設置された木製のピンを倒し点数を競うゲームでは、通常左右どちらかの手によってボールが投球される。
ボウリングで使用されるボールは主に樹脂製であるが、一番軽い子供用のもので４ポンド（約１．８キログラム）であり、大人用は最低でも６ポンド（約２．７キログラム）となっている。それ故に、非力である幼児、高齢者、また身体等に障がいを持つ人ではボールをピンまで転がす事が出来ず、ゲームを楽しめない。
上記を解決する為に、すでにいくつかのボウリングボール投擲装置が開発されている。
それらは主に２種類に分類され、金属製のパイプを使用し並行なレールの上を上部から下部へボールを転がす事により投球を行なうものと、土台となる発泡スチロールにウレタンなどのコーティング素材を吹き付け、公園用の遊具にある滑り台の坂道と同じ要領でボールを転がし投球するものがある。
【先行技術文献】
【特許文献】
【０００３】
【特許文献１】実登3061892号
【発明の概要】
【発明が解決しようとする課題】
【０００４】
しかし、上記にある従来の投球補助要具は金属製の場合は重く、また主に車いす用に開発されており、使用時に毎回組み立てが必要となる事、また土台が発砲スチールのものは、製造より数ヶ月あたりより発泡スチロールが痩せ始め（空気が抜けて縮む現象を言う）、コーティングで吹き付けたウレタン素材との間に隙間が出来る事で、ボールの転がりにより最も過重が係る箇所が破損（割れを起こす）し、使用１年未満で補修や買い換えが必要になり、コストパフォーマンスが良くなかった。
【０００５】
また、上記のような破損を起こすことにより坂道を転がり落ちるボールの軌道が破損部分で変化し、まっすぐボールがピンまで届かず意図しないところで曲がってしまう現象があった。
【０００６】
本発明は、上記問題に鑑みてなされたものであり、その目的は本考案の形状によって丈夫にかつ安定したピンまで届くボールコントロールを保持するボウリングボール投球補助用具を提供することにある。
【課題を解決するための手段】
【０００７】
本発明のボール投球補助台は、ボールを載置するボール保持部と、ボール保持部から下降する通路を有するボール助走路とを備え、通路が断面円弧状をなす溝部からなり、遊技者がボール保持部からボールを移動させてボール助走路を介してボールを投球し、前方に設置されたピンを倒すものである。
【０００８】
また、本発明のボール投球補助台は、ボールを載置するボール保持部と、ボール保持部から下降する通路を有するボール助走路と、ボール助走路から連なってボールを水平方向に送り出すボールリリース部とを備え、ボール助走路からボールリリース部にかけてしだいに通路が狭まり、遊技者がボール保持部からボールを移動させてボール助走路を介してボールを投球し、ボール助走路でボールの方向が定められ、前方に設置されたピンを倒すものである。
【０００９】
また、本発明のボール投球補助台は、ボールを載置するボール保持部と、ボール保持部から下降する通路を有するボール助走路と、ボール助走路から連続してボールを水平に送り出すボールリリース部を備え、ボール保持部とボール助走路との間にボールの方向を矯正するボールガイド部を備え、遊技者がボール保持部からボールを移動させたのちボールガイド部でボールの方向を定め、ボール助走路を介してボールが転がり、前方に設置されたピンを倒すものである。
【発明の効果】
【００１０】
本発明のボール投球補助台は、ボール助走路の通路が断面円弧状をなす溝部からなるので、ボールの投球されたボールの方向が正確に定められるばかりでなく、ボールの球面に沿って転がるので、通路への衝撃が少なく傷がつかず耐久性が高い。
【００１１】
また、ボール助走路からボールリリース部にかけてしだいに通路が狭まるので、ボールの方向性がさらに正確になり、ボウリングボールの投球に使用するとピンを正確に倒すことができる。
【００１２】
また、本発明のボール投球補助台は、ボール保持部とボール助走路との間にボールの方向を矯正するボールガイド部を備えたので、ボールを投球する際に方向が乱れても、方向が矯正されてボール助走路に導かれるので、正確にボールの方向が定まる。
【図面の簡単な説明】
【００１３】
【図１】本発明の実施例を示す構成図。
【図２】本発明の実施例を示す斜視図。
【図３】本発明の実施例におけるボール落下の側面からの説明図。
【図４】本発明の実施例におけるボール落下の正面からの説明断面図。
【図５】本発明のボール助走路の実施例の説明図。
【図６】本発明のボールガイド部の実施例を示す構成図。
【発明を実施するための形態】
【００１４】
次に本発明の実施の形態を、図面を参照しつつ説明する。
【実施例】
【００１５】
図１は本実施形態にかかるボウリングボール投球補助台の構成図である。
【実施例１】
【００１６】
図１において、ボール投球補助台１の上部に円形の凹部であるボール保持部２が設けられている。ボール保持部２の凹部は半球状になっており、載置されたボールがわずかな力で転がり落ちない。ボール保持部２から水平方向に、案内溝を有するボールガイド部３が設けられ、このボールガイド部３から下方向にボール助走路４が連続して設けられている。ボール助走路４は、ボールの球面に沿った断面円弧状をなす溝が形成されており、なだらかな曲線が連続して、ボールリリース部５に続いている。ボール助走路４からボールリリース部５にかけては、溝の形状が次第に細く、浅くなるように形成されている。またボール保持部２の凹部は、浅い断面円弧状に溝を形成しても良い。
【００１７】
図２はボール投球補助台の別の実施例を示したものである。図２においてボール投球補助台１の上部に円形の凹部であるボール保持部２が設けられている。ボール保持部２の凹部は２段構成になっており、載置されたボールがわずかな力で転がり落ちない。ボール保持部２から水平方向に、案内溝を有するボールガイド部３が設けられ、このボールガイド部３から下方向にボール助走路４が連続して設けられている。ボール助走路４は、ボールの球面に沿った半球面の断面円弧状をなす溝が形成されており、なだらかな曲線が連続して、ボールリリース部５に続いている。ボール助走路４からボールリリース部５にかけては、溝の形状が次第に細く、浅くなるように形成されている。
【００１８】
次に動作について述べる。図３は本発明のボール投球補助台の使用時におけるボール落下の状態を示したものであり、図３はそれぞれのボール位置を示す側面図である。（a）の位置ではボールがボール保持部２に置かれており、使用者が手でボールガイド部３方向にボールを押し上げながら移動させ(b)の位置に達する。(b)の位置ではボールガイド部３の溝の上の配置されることになり、ボール６を移動させる力が左右に不均一になったとしても溝３(b)で左右のブレを防止し、正しい方向に整えられる。
【００１９】
図１におけるボールガイド部３を通過したボールは、ころがりながら下降してボール助走路４の図３における（c）点に達する。この時ボール６は、図４(c)に示すように比較的大きな溝の中を回転しながら勢いを増して下降する。ボール直径がボウリング用ボールの約２２センチメートル（ 直径 最小8.5インチ〜最大8.595インチ以内 （最小21.59cm〜最大21.831cm以内） であれば、図４(c)における溝の深さは、ボール接地面より５〜８cm程度に、好ましくは６〜７cmの範囲に設定されるとスムーズに転がる事ができる。溝面は断面円弧状をなす溝以外に球面状や滑らかな曲線で構成されても良い。図３(c)を通過したボールは、図１ボールリリース部５、図３における(d)点に達する。このときボール６は図４(d)に示すように比較的小さくなった溝の中央に次第にガイドされる事になり、進行方向へ正確に転がる事ができる。また溝との接触面積が小さくなるので、摩擦が小さくなり、摩擦が小さくなるので速度を高める事ができ、また転がる速度が増加しても滑らかに下降して溝部分を損傷させる事がない。
【００２０】
方向性を定められたボール６は、ボール投球補助台１から離れて、(e)点すなわち図３の(e)点を回転しながらボウリングレーン（図示せず）を転がり、ボウリングピン（図示せず）を倒す事によりゲームを行なう。
【実施例２】
【００２１】
図５は本発明の他の実施例を示すもので、ボール助走部４を２つの助走ガイド７a、７bで構成させたもので、ボール６が下降するにつれて助走ガイド７a、７bの間隔を狭くして、ボール６の直進性と接触面積の低下を図ったものである。助走ガイド７a、７bは円形が適しているが、中空ではなく棒状のものでも良く、断面形状が矩形のものでも良い。また材料は金属や樹脂製でもよく、曲線でガイドする構成をしても良い。
【実施例３】
【００２２】
図６は本発明の他の実施例を示すもので、ボールガイド部をC1、C2に示すように規正体として一対のコマ状の回転体８a、８bやD1、D2に示すように一対のバネを内蔵した可動羽根９a、９bを設け、ボールの左右位置を矯正するものである。C1はコマ状の回転体を前面より見た図を示し、C2はコマ状の回転体を上部より見たものである。C1、C2のように左右に設置された一対の回転体の間をボール６が左右のコマ8a、8bに接触しながら通過することにより、ボール落下時における左右へのブレを防止する。またD1は羽根状の規正体を前面より見た図を示し、D2は羽根状の規正体を上部より見たものである。D1、D2のように左右に設置された一対のバネを内蔵した可動羽根の間をボール６が左右の可動羽根9a、9bに接触しながら通過することにより、ボール落下時における左右へのブレを防止する。
【００２３】
図６におけるCとDなどの規正体の形状をボールが通過する際に、大砲やピンボールなどの発射音などを付加しても良い。
【図１】
2015136384.tif 000003
【図３】
2015136384.tif 000004
【図４】
2015136384.tif 000005
【図５】
2015136384.tif 000006
【図６】
2015136384.tif 000007
【図２】
2015136384.tif 000008